(57)【要約】【課題】効率良く測定対象に係る試料水を正確に採取測定することができ、かつ、安価な試料水の採取測定装置を提供することを目的とする。【解決手段】長手方向先端側を給水部２とし基端側を開放部３とする容器４と、該容器４の内部にて先端側基端側間を緊密状態で進退動可能なヘッド部５を有し、ヘッド部５を基端側へ退動することにより、給水部２から容器４内の採取領域Ｓに試料水を採取するスライド部材６とを備える。容器４は、その胴部７において薬品投入部８を有し、スライド部材６を退動することにより、あらかじめ薬品が投入された採取領域Ｓに試料水を採取し、該採取された試料水を投入された薬品により発色させて測定を行うこととする。薬品投入部７が採取領域Ｓに対して基端側に配設されているので、薬品投入、試料水の採取並びに測定の際に、いちいちスライド部材６を容器４から取付け取外しすることなく試料水の採取測定を行うことができる。【選択図】図２
2008107193.tif 000002
【特許請求の範囲】
【請求項１】
被測定領域から採取した試料水の薬品に対する発色と成分量毎の色彩を表示する色彩対照表とを比色して被測定領域中の試料水の成分を測定する試料水の採取測定装置であって、
長手方向先端側を給水部とし長手方向基端側を開放部とする容器と、
該容器の内部にて長手方向先端側長手方向基端側間を緊密状態で進退動可能なヘッド部を有し、
前記ヘッド部を前記長手方向基端側へ退動することにより、前記給水部から、前記容器内の採取領域に試料水を採取するスライド部材と、を備え、
前記容器はその胴部において、前記採取領域に対して長手方向基端側に配設される薬品投入部を有し、
前記スライド部材を退動することにより、あらかじめ前記薬品投入部から前記薬品が投入された前記採取領域に前記試料水を採取し、該採取された試料水を前記投入された薬品により発色させて測定を行うことを特徴とする試料水の採取測定装置。
【請求項２】
前記薬品投入部から投入される薬品は固形状のものとされ、該薬品をスライド部材のヘッド部と容器の給水部との間に配置した状態において、スライド部材の長手方向先端側に対する押動に応じて粉末状に粉砕する薬品の粉砕手段を備えてなる請求項１に記載の試料水の採取測定装置。
【請求項３】
前記薬品の粉砕手段は、容器の給水部内側に形成される凹部と、スライド部材のヘッド部から前記凹部に向けて突設される凸部とからなる請求項２に記載の試料水の採取測定装置。
【請求項４】
前記容器は、透明性を有する部材からなり、その胴部に給水部とスライド部材のヘッド部とで画成される試料水の採取領域に相応する採取量目盛りを付してなる請求項１ないし請求項３に記載の試料水の採取測定装置。
【請求項５】
長手方向先端側に配設される採水部と長手方向基端側に容器の給水部と着脱可能に結合される結合部とを有し、被測定領域に係る試料水を採取可能とする採取管部材を備える請求項１ないし請求項４に記載の試料水の採取測定装置。
【請求項６】
前記管部材は、可撓性を有する部材からなるとともに、その胴部に浮き部材が取付けられてなる請求項５に記載の試料水の採取測定装置。
【請求項７】
前記採水部に前記浮き部材を取付けられる管部材の胴部に対して前記採水部を被測定領域に係る水中に沈下可能とする錘部材が取付けられてなる請求項６に記載の試料水の採取測定装置。
【請求項８】
前記浮き部材は、前記管部材の胴部に対して、前記採水部から所定の長さ位置に着脱自在に取付けられてなる請求項７に記載の試料水の採取測定装置。
【請求項９】
長手方向先端側を給水部とし長手方向基端側を開放部とするとともに、その胴部において、該給水部からの給水を受ける採取領域に対して長手方向基端側に配設される薬品投入部を有する容器と、該容器の内部にて長手方向先端側長手方向基端側間を緊密状態で進退動可能なヘッド部を有するスライド部材と、を備えた試料水の採取測定装置を用いた試料水の採取測定方法であって、
前記薬品を、前記薬品投入部から、前記ヘッド部と前記給水部との間に配置する薬品配置工程と、
前記給水部を試料水の被測定領域と通じさせて、前記給水部からの給水を可能とする給水準備工程と、
前記給水準備工程から前記スライド部材を長手方向基端側に退動させることにより、前記採取領域に試料水を採取する試料水採取工程と、
該採取された試料水を前記薬品により発色させて測定を行う測定工程と、
を備えることを特徴とする試料水の採取測定方法。
【発明の詳細な説明】
【技術分野】
【０００１】
本発明は、例えばプール、大衆浴場、ホテルの貯水場、ビルの受水槽、河川、海洋などの水場から、成分を測定するための試料水を採取しその成分の測定を行う試料水の採取測定装置に関する。
【背景技術】
【０００２】
プール、大衆浴場、ホテルの貯水場、ビルの受水槽などに利用される水は、入水により身体と接触したり、飲料用として身体に摂取されることから、その水中の成分を測定し、人体に有害とならないよう厳重に管理する必要がある。また、河川に流れる水や海洋中の海水については、自然環境を維持、管理するため、定期的にその水質を測定する必要がある。
【０００３】
一例として、遊泳用のプールにおいては、厚生労働省の策定に係る「遊泳用プールの衛生基準」（平成１３年７月２４日）にしたがって管理されている。すなわち、遊泳用のプールに利用される水については、次のような水質基準を満たすことが必要とされている。
2008107193.tif 000003
また、このように定められる水質基準に対しては、その維持管理基準として測定回数が次のように定められている。
2008107193.tif 000004
さらに、測定対象に係る水の採取地点は、「矩形のプールではプール内の対角線上におけるほぼ等間隔の位置３箇所以上の水面下２０ｃｍ及び循環ろ過装置の取入口付近」とされ、被測定領域についても厳密に定められている。
【０００４】
このように人体に関与する水については、その成分を管理するための基準が厳密に定められており、人体に関与する水を扱う業者、団体によって、各々の施設から該当する水が採取され、成分の測定が行われている。また、河川に流れる水や海水の環境水についても同様に環境維持に必要な基準が定められている。水場から試料水を採取測定する方法としては、比色法を用いた簡便な測定方法によるものと、比色法以外の測定方法によるものとがあり、比色法による簡便な方法では、従来、図１４に示す採水容器１００が用いられている。すなわち、この採水容器１００は胴部に紐１０１が巻き付けられた容器本体１０２と蓋１０３とからなり、先の遊泳用のプールを例とすれば、次のように利用される。すなわち、この採水容器１００は監視員などのプール管理者が容器本体１０２から蓋１０３を取外し、紐１０１を把持した状態でプールサイドから容器本体１０２を被測定領域に向けて投げ入れるものであり、投げ入れられた容器本体１０２を引き上げると、被測定領域の水が試料水として容器本体１０２に汲み上げられる。この状態で、容器本体１０２内に採取された試料水の量を成分を測定する薬品に対する量（例えば１０ｃｃ）にまで調整し、該薬品を投入した後、蓋１０３で容器本体１０２の口を閉じ、そして、採水容器１００をよく振り薬品を採取された水に充分溶解させてから、その発色と予め薬品ごとに作成された色彩対照表（カラーチャート、図８参照）とを照らし合わせることで、被測定領域に係る試料水の成分測定が行われることとなる。
【０００５】
また、比色法以外の測定方法によるものとしては、例えば残留塩素の測定であれば、電極計などからなる専用測定機器を用いて測定されるものとされていた。
【特許文献１】特開平１１−８３８３９
【発明の開示】
【発明が解決しようとする課題】
【０００６】
しかしながら、簡便な測定方法によると、試料水の採取並びに測定作業毎に、いちいち採水容器１００の蓋１０３を開閉しなければならず、作業が煩雑であった。また、薬品に対する容器本体１０２内に採取された試料水の量（例えば１０ｃｃ）の調整は、例えば、一旦ビーカーなど目盛りの付いた他の容器に移し替え、該容器からこぼしながら減じていくことで正確な量にまで調整し、その後本体容器１０２に戻して行われていたが、この作業は極めて煩雑であるため、実際には容器本体１０２内に採取された状態から直接こぼして減じていくことでおよその目分量としての調整が行われており、正確な測定の実現と作業性の向上の両立が望まれていた。
【０００７】
また、被測定領域から採水容器１００を汲み上げる際に、被測定領域以外の領域における水が試料水に混入してしまい、被測定領域における試料水の正確な成分測定が困難であった。この問題は、測定者が被測定領域に直接入水し、被測定領域における試料水を採取した時点で蓋１０３を閉じることで解消されるが、実際にこうした方法での採水は行われず、測定基準に合致した正確な測定が行われていなかった。
【０００８】
また、比色法以外の測定方法においては、専用の測定機器は比較的高価なものであるため測定コスト上の問題があり、加えて測定対象ごとに専用の測定機器を用意しなければならないことから、異なる試料水の測定を行うには、測定コストがますます嵩むほか、その設置、管理等の作業が煩雑なものとされていた。
【０００９】
本願発明は、これらの事情に鑑みてなされたものであり、効率良く測定対象に係る試料水を正確に採取測定することができ、かつ、安価な試料水の採取測定装置を提供することを目的とする。
【課題を解決するための手段】
【００１０】
こうした課題を解決するため、本願の請求項１に係る発明は、被測定領域から採取した試料水の薬品に対する発色と成分量毎の色彩を表示する色彩対照表（カラーチャート）とを比色して被測定領域中の試料水の成分を測定する試料水の採取測定装置であって、長手方向先端側を給水部とし長手方向基端側を開放部とする容器と、該容器の内部にて長手方向先端側長手方向基端側間を緊密状態で進退動可能なヘッド部を有し、前記ヘッド部を前記長手方向基端側へ退動することにより、前記給水部から、前記容器内の採取領域に試料水を採取するスライド部材と、を備え、前記容器はその胴部において、前記採取領域に対して長手方向基端側に配設される薬品投入部を有し、前記スライド部材を退動することにより、あらかじめ前記薬品投入部から前記薬品が投入された前記採取領域に前記試料水を採取し、該採取された試料水を前記投入された薬品により発色させて測定を行うことを特徴とする。
【００１１】
また、本願の請求項２に係る発明は、前記薬品投入部から投入される薬品は固形状のものとされ、該薬品をスライド部材のヘッド部と容器の給水部との間に配置した状態において、スライド部材の長手方向先端側に対する押動に応じて粉末状に粉砕する薬品の粉砕手段を備えてなることを特徴とする。
【００１２】
また、本願の請求項３に係る発明は、前記薬品の粉砕手段は、容器の給水部内側に形成される凹部と、スライド部材のヘッド部から前記凹部に向けて突設される凸部とからなることを特徴とする。
【００１３】
また、本願の請求項４に係る発明は、前記容器は、透明性あるいは半透明性を有する部材からなり、その胴部に給水部とスライド部材のヘッド部とで画成される試料水の採取領域に相応する採取量目盛りを付してなることを特徴とする。
【００１４】
また、本願の請求項５に係る発明は、長手方向先端側に配設される採水部と長手方向基端側に容器の給水部と着脱可能に結合される結合部とを有し、被測定領域に係る試料水を採取可能とする管部材を備えることを特徴とする。
【００１５】
また、本願の請求項６に係る発明は、前記管部材は、可撓性を有する部材からなるとともに、その胴部に浮き部材が取付けられてなることを特徴とする。
【００１６】
また、本願の請求項７に係る発明は、前記採水部に前記浮き部材を取付けられる管部材の胴部に対して前記採水部を被測定領域に係る水中に沈下可能とする錘部材が取付けられてなることを特徴とする。
【００１７】
また、本願の請求項８に係る発明は、前記浮き部材は、前記管部材の胴部に対して、前記採水部から所定の長さ位置に着脱自在に取付けられてなることを特徴とする。
【００１８】
また、本願の請求項９に係る発明は、長手方向先端側を給水部とし長手方向基端側を開放部とするとともに、その胴部において、該給水部からの給水を受ける採取領域に対して長手方向基端側に配設される薬品投入部を有する容器と、該容器の内部にて長手方向先端側長手方向基端側間を緊密状態で進退動可能なヘッド部を有するスライド部材と、を備えた試料水の採取測定装置を用いた試料水の採取測定方法であって、前記薬品を、前記薬品投入部から、前記ヘッド部と前記給水部との間に配置する薬品配置工程と、前記給水部を試料水の被測定領域と通じさせて、前記給水部からの給水を可能とする給水準備工程と、前記給水準備工程から前記スライド部材を長手方向基端側に退動させることにより、前記採取領域に試料水を採取する試料水採取工程と、該採取された試料水を前記薬品により発色させて測定を行う測定工程と、を備えることを特徴とする。
【発明の効果】
【００１９】
本願の請求項１に係る発明によれば、薬品の投入毎にいちいちスライド部材の取り付け、取外しを行う手間を省けるとともに、一旦薬品投入部から薬品を投入しておけばスライド部材を退動させるだけで試料水の採取測定を行うことが可能となることから、効率良く測定対象に係る試料水を正確に採取測定することができ、かつ、安価な試料水の採取測定装置を提供することができる。
【００２０】
また、本願の請求項２に係る発明によれば、固形状の薬品を粉砕して粉末状にすることで容易に試料水に溶解させることができるので、効率良く測定対象に係る試料水の測定を行うことができる。
【００２１】
また、本願の請求項３に係る発明によれば、固形状の薬品を予め容器の給水部内側の凹部に薬品を配置した状態で、スライド部材のヘッド部から突出した凸部でこれを押圧すれば、効率良く固形状の薬品を粉末状にすることができる。
【００２２】
また、本願の請求項４に係る発明によれば、容器の採取量目盛り位置にまでスライド部材を退動させるだけで成分を測定する薬品に対する正確な量の水（例えば１０ｃｃ）を容易に採取することができ、効率良く正確な試料水の測定が可能となる。
【００２３】
また、本願の請求項５に係る発明によれば、被測定領域が陸上あるいは船上から離れた位置に指定される場合であっても、効率良く正確な試料水の採取、測定が可能となる。
【００２４】
また、本願の請求項６に係る発明によれば、被測定領域が水面から所定の深さに指定され、かつ、該領域が陸上から離れた位置に指定される場合であっても、浮き部を採水部から所定の長さ位置に取付けておけば、容易に被測定領域における試料水を採取することができ、効率良く正確な試料水の採取、測定が可能となる。
【００２５】
また、本願の請求項７に係る発明によれば、被測定領域が陸上あるいは船上から離れた位置に指定される場合であっても、錘部材を錘として投げ入れることで、さらに容易に被測定領域における試料水を採取することができ、効率良く正確な試料水の採取、測定が可能となる。
【００２６】
また、本願の請求項８に係る発明によれば、水面からの深さが異なる様々な被測定領域に対しても、容易に該領域に応じた試料水を採取することができ、効率良く正確な試料水の採取、測定が可能となる。
【００２７】
また、本願の請求項９に係る発明によれば、薬品の投入、試料水の採取並びに測定を行うにあたり、いちいちスライド部材を取付けたり取外すことがないため、効率良く測定対象に係る試料水を正確に採取測定することができる。
【発明を実施するための最良の形態】
【００２８】
以下、本願発明の第１実施形態に係る試料水の採取測定装置を図面を参照しながら、詳細に説明する。図１ないし図３には本願発明の第１実施形態に係る試料水の採取測定装置１が示されている。この試料水の採取測定装置１は、長手方向先端側を給水部２とし長手方向基端側を開放部３とする容器４と、該容器４の内部にて長手方向先端側と長手方向基端側との間を緊密状態で進退動可能なヘッド部５を有するスライド部材６と、を備える。
【００２９】
容器４は、図１に示すように、長手方向先端側を給水部２とし長手方向基端側を開放部３とし、更にその胴部７において、試料水を測定する薬品を投入するための薬品投入部８と、採取された試料水の採取領域Ｓに相応する採取量目盛り９とを有している。この容器４は、例えばプラスチック材やアクリル樹脂材などの合成樹脂材やガラス材などの透明性を有する部材から形成され、胴部７の採取領域Ｓ内に採取された試料水の量及び色彩を外部から視認することが可能である。また、この容器４は円筒状に形成されてなり、その内部において、スライド部材６のヘッド部５が長手方向先端側から長手方向基端側の開放部３方向へ退動可能とされるとともに、給水部２の容器内側に形成される内壁面１０と衝合する位置にまで長手方向基端側から長手方向先端側まで進動するように構成されている。なお、容器４は、全体を透明とする部材に代えて、例えば一部に採取領域Ｓ内に採取された試料水の量及び色彩を視認するための透明窓部を形成してなるものであって良い。
【００３０】
容器４の内部においては、スライド部材６のヘッド部５と、給水部２の内壁面１０とによって試料水の採取領域Ｓが画成されてなる。すなわち、該ヘッド部５は容器４内を緊密状態で摺動するものとされ、給水部２側に隣接させた状態からヘッド部５を開放部３方向へ退動させて容器４内を負圧状態とし、この負圧により採取領域Ｓに試料水を給水部２を通じて吸い込むこととして構成されている。また容器４には、採取領域Ｓに相応する採取量目盛り９が表示されている。すなわち、給水部２の内壁面１０位置を基準線とし（０ｃｃ）、この基準線から採取領域Ｓ内における試料水の採取量ごとの採取量線（例えば５ｃｃ、１０ｃｃ）が決定され、この基準線と採取量線に対応する容器４の胴部位置に目盛りが表示されている。
【００３１】
給水部２は、図２に示すように、更に長手方向の先端外側に延設されるノズル１１とスライド部材６のヘッド部５の先端側を覆うように容器４の長手方向の先端内側に立設される内壁面１０とノズル１１から容器４の採取領域Ｓ内に給水するための給水路１２とから構成され、ノズル１１内における給水路１２を内壁面１０に穿通させるようにし、試料水がノズル１１の先端側から容器４の採取領域Ｓ内に給水されるようにしている。内壁面１０には薬品投入部８から投薬される固形状の薬品を配置させる凹部１３が形成されてなり、容器４を鉛直方向に方向付けしたときに固形状の薬品が該凹部１３に落ち込み易いよう、円筒状の容器４の軸線上に形成するとともに、その周部外方を容器４の長手方向基端側の胴部に向けて傾斜するテーパ面として形成している。
【００３２】
固形状の薬品を容器４内に投入するための薬品投入部８は、容器４の採取領域Ｓに対して長手方向基端側の胴部７に配設される。すなわち固形状の薬品を薬品投入部８から投入した後においては、薬品投入部８に対して長手方向基端側に位置するスライド部材６のヘッド部５を、該薬品投入部８に対する長手方向先端側の位置まで進動させて容器４の採取領域Ｓが画成されることとなる。言い換えれば容器４内におけるヘッド部５の位置によって薬品の投入、試料水の採取並び試料水の採取にともなう試料水の測定を行うことが可能であり、これらの作業を行うにあたり、いちいち容器４からスライド部材６を取付けたり取外すことがない。また薬品投入部８は、薬品投入口１４と該薬品投入口１４から容器４の胴部外方に向けて立設される誘導部１５とから構成されている。該誘導部１５は外周を薬品投入口１４と接合される下部開口と、固形状の薬品の投入を行う上部開口とを備えた筒状部材からなる。この上部開口の径は下部開口の径に対して大きく設定されており、上部開口側からの薬品投入を容易とし、一旦薬品が投入されると容易に下部開口側から飛び出さないように構成されている。
【００３３】
容器４の内部には、長手方向先端側にヘッド部５と、長手方向基端側にフランジ状に形成された操作部１６と、これらヘッド部５と操作部１６との間に架設されるプランジャ部１７とを有するスライド部材６が配設される。このプランジャ部１７は長手方向の中心軸に対して十字状に放射する板材からなり、長手方向基端側の操作部１６近傍において、更に該十字状の板材の一片を親指程の間隔に切欠いて形成される切欠き部１８を有するものとされる。
【００３４】
ヘッド部５は、凹部１３に配置される薬品の粉砕手段として、先端側に該凹部１３に向けて突設される凸部１９を有してなる。すなわち、凸部１９は凹部１３と向かい合う位置に配設されており、薬品を凹部１３、凸部１９間に挟み込んだ状態で更にスライド部材６のヘッド部５を長手方向先端方向に押動させて、該薬品がこれら凹凸部材により押圧されて粉砕されるようにしている。凸部１８の先端側は薬品を粉砕しやすいよう鋸状に形成されている。
【００３５】
また、ヘッド部５は弾力性を有する部材（例えば、天然ゴム、合成ゴム等）からなり、容器４の長手方向先端側長手方向基端側間において緊密状態で進退動可能な外径からなる。すなわち、ヘッド部５の外径は容器４の胴部７内径よりわずかに大きな径に設定されている。ヘッド部５はこの外径を縮径させて容器４内に配設され、該配設状態において、ヘッド部５の外周面がヘッド部５の復元力によって容器４の胴部内周面に密接している。ところで容器４の開放部３近傍の内周位置には、容器４に厚みを与えて隆起させた胴部７内径より径の小さいストッパ部２０が周設されてなり、測定者が誤ってスライド部材６を大きく退動操作した場合であっても、該ストッパ部２０とヘッド部５の外周とが当接し、該ヘッド部５が容易に容器４から抜け出すことがない。なお、ヘッド部５は弾力性を有しない金属あるいは合成樹脂で形成されても良く、この場合、ヘッド部５の外径を容器４の内径に等しく設定する。
【００３６】
図３には、更に、長手方向基端側を給水部２のノズル１１と連結される管部材２５と、該管部材２５の胴部２６に取付けられる浮き部材２７と、該管部材２５の長手方向先端側に配設される採水口２８（採水部）とを含んで構成される試料水の採取測定装置１が示されている。
【００３７】
第１実施形態に係る管部材２５は、可撓性を有する長尺状の部材からなり、長手方向基端部を給水部２のノズル１１と結合自在に結合される結合部２９とするとともに、長手方向先端部を採水口２８（採水部）とし、更に該採水口２８（採水部）に錘部材３０が取付けられて構成されている。すなわち、結合部２９は管部材２５における一端側の開口として形成され、該結合部２９を端部開口側からノズル１１に外挿することとし、給水部２に対して結合自在とされている。可撓性を有する長尺状の部材としては、ゴムチューブ、シリコンチューブなど可撓性を有する公知の管部材が適用されて良い。なお、管部材２５は必ずしも可撓性を有する必要がなく、そうした管部材を適用した例に関しては後述の他の実施形態として説明する。
【００３８】
浮き部材２７は、空気を封入された本体部３１と、該本体部３１に配設される環状部３２とから構成される。この環状部３２は、天然ゴムや合成ゴムなどのゴム材から形成されてなり、該部を外周方向に伸展させて管部材２５の結合部２９側あるいは錘部材３０側から管部材２５を通した後、復元させて管部材２５の胴部２６の所定位置に装着させることとし、管部材２５の胴部所定の位置に対して着脱自在に取付け可能とされるように構成されている。
【００３９】
錘部材３０は、必要な重量を付与するため胴部中央を肉厚に形成され、該胴部に対する一端側を管部材２５の採水口２８（採水部）に取付けるための取付部３３とするとともに、他端側に試料水を採取するための錘部採水口３４を備えて構成される。錘部材３０の内部両端部間には、錘部採水口３４から連通される送水路（不図示）が配設されており、錘部採水口３４から採水された試料水を管部材２５に送水可能である。錘部材３０は、浮き部材２７を取付けられる管部材２５を被測定領域に係る水中に入れた状態において、その胴部２６に対して採水口２８（採水部）側を下向きに沈下させるためのものであり、金属や合成樹脂からなる部材で形成される。なお、錘部材３０については管部材２５の胴部２６に対して採水口２８（採水部）側を下向きに沈下させるものであれば良く、例えば、管部材２５の採水口２８（採水部）近傍の胴部に取付けられる錘として構成されても良い。この場合、採水口２８（採水部）から直接採水することとされる。
【００４０】
このようにして構成される第１実施形態に係る試料水の採取測定装置１の作用を各使用工程とともに説明する。図４は、第１実施形態に係る試料水の採取測定装置１の最終的な使用状態を示すイメージ図である。操作者は陸上から、該試料水の採取測定装置１の管部材２５を錘部材３０側から投げ込み、試料水の被測定領域Ｔまで手繰り寄せ、該被測定領域Ｔにおける試料水を容器４の採取領域Ｓに採取して、その測定を行う。
【００４１】
（薬品配置工程）
試料水の採取測定装置１の使用方法は、先ず、試料水を測定する薬品を薬品投入部８から投入し、ヘッド部５と給水部２との間に配置するものとされる。図５には、固形状の薬品として使用する第１実施形態における例を示している。すなわち、操作者は薬品投入部８に対して長手方向基端側（矢印Ｂ方向）までスライド部材６のヘッド部５を退動させておき、薬品投入部７から固形状の薬品３５を投入して、給水部２の内壁面１０に形成される凹部１３に薬品３５を配置するようにする（図５ａ参照）。この状態からスライド部材６のヘッド部５を給水部２側（矢印Ｆ方向）まで進動させ、凹部１３に配置された薬品３５をヘッド部５の先端側に突設された凸部１９により押圧することで粉末状に粉砕し（図５ｂ参照）、薬品３５をヘッド部５と給水部２との間に配置するようにする。
【００４２】
（給水準備工程）
次に、給水部２を試料水の被測定領域Ｔと通じさせて、給水部２からの給水を可能とする。すなわち、管部材２５を錘部材３０側から被測定領域に投げ込んだ後、管部材２５の長手方向基端側の結合部２９を水面付近にまで移動させて管部材２５内の空気を抜き、結合部２９位置にまで被測定領域における試料水が送水された状態とする。この状態から結合部２９を給水部２のノズル１１に結合させ、給水部２から試料水の容器４に対する給水を可能な状態とする。この際、図６に示すように、被測定領域の水面からの深度Ｄと等しい長さ距離をもって、浮き部材２７の錘部材３０の錘部採水口３４からの距離ｄを設定しておけば、被測定領域から効率良く正確に試料水の採取を行うことが可能となる。
【００４３】
（試料水採取工程）
そして、図７に示すように、操作者は容器４とスライド部材６とを片方の手で把持し（例えば右手）、該容器４の外方から試料水の測定領域Ｓにおける採取量を目視しながら、スライド部材６をそのヘッド部５が目標とする採取量線（例えば１０ｃｃ）まで退動操作する。この際、操作者は親指をプランジャ部１７の切欠き部１８に置き、親指の爪先でフランジ状の操作部１６を押し上げることでスライド部材６の退動操作を行う。すなわち、操作者は片方の手のみを用いて簡便に試料水を採取することができ、作業効率が高められることとなる。
【００４４】
（測定工程）
最後に、こうして容器４の採取領域Ｓ内に適量の試料水が採取された状態で、容器４をよく振って薬品３５を試料水中に溶解させ、試料水を発色させる。この試料水の発色と、使用されていないもう片方の手（例えば左手）に把持された成分量毎の色彩を表示する色彩対照表（カラーチャート、図８参照）とを比色し、試料水の測定が行われることとなる。こうした測定においては、いちいちスライド部材６を取付けたり取外すことなく予め投薬された薬品３５を用いて、試料水の測定を行うことができるので、極めて作業性が向上されたものとなる。
【００４５】
液体状または粉末状の薬品を用いる第２実施形態を図９を用いて説明する。この実施例に係る試料水の採取測定装置４０は、容器４１の長手方向の先端内側に立設される内壁面４２を平坦に形成するとともに、スライド部材４３のヘッド部４４先端側を該内壁面４２に対して平行な平坦面として形成したものである。試料水の採取測定装置４０においては、薬品投入部４５から投入された液体状または粉末状の薬品が給水路４６から容器４１の外方に飛び出さないように、容器４１の長手方向を水平に保ちながら、試料水の採取測定を行うものとされる。なおその他の構成については第１実施形態に係る構成と共通するため、説明を省略する。
【００４６】
次に、固形状の薬品を用いる第３実施形態を図１０を用いて説明する。この実施例に係る試料水の採取測定装置５０は、容器５１の長手方向の先端内側に立設される内壁面５２に細かな突条５３を形成するとともに、スライド部材５４のヘッド部５５先端側を該内壁面５２に対して平行な平坦面として形成したものである。この試料水の採取測定装置５０においては、薬品投入部５６から投入された固形状の薬品を内壁面５２の突条５３の近傍に配置した状態で、スライド部材５４を長手方向先端側に進動させ、突条５３とヘッド部５５の先端側とで薬品を押圧することにより、該薬品を粉砕することとしている。なお、この薬品の粉砕操作においては、粉砕された粉末状の薬品が給水路５６から容器５１の外方に飛び出さないように、容器５１の長手方向を水平に保ちながら、試料水の採取測定を行うのが望ましい。なおその他の構成については第１実施形態に係る構成と共通するため、説明を省略する。
【００４７】
更に、本発明の第４実施形態を図１１を用いて説明する。この実施例に係る試料水の採取測定装置６０は、容器６１の胴部６２に対してカラーチャート６３を付して構成されたものに係る。この試料水の測定装置６０においては、容器６１内で発色させた試料水とカラーチャート６３とを、直接比色しながら測定することができるので、効率良く正確な試料水の測定を行うことが可能となる。なおカラーチャート６３は、測定を行う試料水の成分に応じて、容器６１の胴部６２に複数付されて構成されても良い。こうした構成によれば、異なる試料水の測定毎に試料水の採取測定装置を準備する必要が無く、安価に試料水の採取測定を行うことができる。なおその他の構成については第１実施形態に係る構成と共通するため、説明を省略する。
【００４８】
また図１２は、管部材を用いないで構成する試料水の採取測定装置７０を示したものである。第５実施形態においては、ノズル７１を長尺状に形成して構成されている。したがって、試料水を採取するにあたり、管部材をノズル７１に連結する必要がなく、被測定領域がプール側壁上部に配設される排水溝近傍とされる場合や被測定領域が所定の領域に限定されない場合など、長尺状の管部材を必要としない被測定領域に対する試料水の採取測定を効率良く行うことができる。なおその他の構成については第１実施形態に係る構成と共通するため、説明を省略する。
【００４９】
また図１３に示す試料水の採取測定装置８０は、管部材８１をプラスチックや金属など可撓性を有しない部材で形成することとし、浮き部材並びに錘部材を用いないで構成されている。したがって、第６実施形態においては、試料水を採取するにあたり、管部材８１に浮き部材や錘部材を取付ける必要がなく、被測定領域がプール側壁に配設される排水溝近傍とされる場合や被測定領域が測定者の足下の水場とされる場合など、可撓性を有する管部材を必要としない被測定領域に対する試料水の採取測定を効率良く行うことができる。なおその他の構成については第１実施形態に係る構成と共通するため、説明を省略する。
【図面の簡単な説明】
【００５０】
【図１】容器とスライド部材とを含んで構成される試料水の採取測定装置の側面を示したものである。
【図２】第１実施形態に係る試料水の採取測定装置の内部構成を示す断面図である。
【図３】管部材と浮き部材と錘部材とを含んで構成される試料水の採取測定装置の斜視図である。
【図４】試料水の採取測定装置の被測定領域に対する使用状態を示すイメージ図である。
【図５】容器内に薬品が投入される状態と、該投入された薬品が粉砕される状態とを示す断面図である。
【図６】管部材の胴部に対する浮き部材および錘部材の取付状態を示す部分図である。
【図７】容器内の採取領域に試料水を採取する工程を示す部分斜視図である。
【図８】比色法に用いられるカラーチャートの一例を示したものである。
【図９】液体状または粉末状の薬品を用いて試料水の採取測定を行う第２実施形態に係る容器の内部構成を示す断面図である。
【図１０】固形状の薬品を用いて試料水の採取測定を行う第３実施形態に係る容器の内部構成を示す断面図である。
【図１１】容器の胴部にカラーチャートを付した第４実施形態に係る容器の側面を示したものである。
【図１２】管部材を用いないで構成された第５実施形態に係る試料水の測定装置の斜視図である。
【図１３】可撓性を有しない管部材を含んで構成された第６実施形態に係る試料水の測定装置の斜視図である。
【図１４】従来例に係る試料水の採水容器の構成を示したものである。
【符号の説明】
【００５１】
１，４０，５０，６０，７０，８０    試料水の採取測定装置
２    給水部
３    開放部
４，４１，５１，６１    容器
５，４４，５５    ヘッド部
６，４３，５４    スライド部材
７，６２    胴部（容器）
８，４５，５６    薬品投入部
９    採取量目盛り
１０，４２，５２    内壁面
１１，７１    ノズル
１２，４６    給水路
１３    凹部
１４    薬品投入口
１５    誘導部
１６    操作部
１７    プランジャ部
１８    切欠き部
１９    凸部
２０    ストッパ部
２５，８１    管部材
２６    胴部（管部材）
２７    浮き部材
２８    採水口
２９    結合部
３０    錘部材
３１    本体部
３２    環状部
３３    取付部
３４    錘部採水口
３５    薬品
５３    突条
６３    カラーチャート
【図１】
2008107193.tif 000005
【図２】
2008107193.tif 000006
【図３】
2008107193.tif 000007
【図４】
2008107193.tif 000008
【図５】
2008107193.tif 000009
【図６】
2008107193.tif 000010
【図７】
2008107193.tif 000011
【図８】
2008107193.tif 000012
【図９】
2008107193.tif 000013
【図１０】
2008107193.tif 000014
【図１１】
2008107193.tif 000015
【図１２】
2008107193.tif 000016
【図１３】
2008107193.tif 000017
【図１４】
2008107193.tif 000018